(57)【要約】【課題】中間パネル２０をバックパネル１０及び天板２に対して少ない個所で連結しても中間パネル２０が不用意に横ずれしないで立設できるようにする。【解決手段】中間パネル２０の後端上部はバックパネル１０における笠木１２に形成されて横に延びる溝部１６に対してバックパネルの前面に沿って移動自在な摺動ブロックを介して装着され、中間パネル２０の前端下部は天板２の前縁部に嵌合するクランプ体５０を介して固定されている。摩擦板が下面に備えられた取付け体を有する摩擦手段３９は中間パネルの下端部である巾木２３の下向き開口溝に着脱自在に嵌合され、摩擦板が天板２に当接することにより、中間パネル２０の横ずれを防止できる。【選択図】図１０
2013081529.tif 000002
【特許請求の範囲】
【請求項１】
天板の上面に載った状態に立設される中間パネルであって、同じく天板の後端縁部に立設されたバックパネルの前面側と、天板の前縁部とに横方向位置変更自在に装着された前記中間パネルには、その下端部に前記天板の上面に接触する摩擦手段を備えている、
机上用中間パネル装置。
【請求項２】
前記摩擦手段は、摩擦板を下面に備えた取付け体が前記中間パネルの下端部の開口溝に着脱自在に嵌合される、請求項１に記載の机上用中間パネル装置。
【請求項３】
前記取付け体及び前記摩擦板は前記天板の前縁側から前記バックパネルの前面方向に延びる長尺状である、請求項２に記載の机上用中間パネル装置。
【請求項４】
前記中間パネルの後端上部は前記バックパネルにおける笠木に形成されて横に延びる溝部に対してバックパネルの前面に沿って移動自在な摺動ブロックを介して装着され、
前記中間パネルの前端下部は前記天板の前縁部に嵌合する連結手段を介して固定されている、請求項１乃至３のいずれかに記載の机上用中間パネル装置。
【発明の詳細な説明】
【技術分野】
【０００１】
本発明は、事務用等の机（テーブル）上に配置立設される中間パネル装置の構成に関するものである。
【背景技術】
【０００２】
一般に、机（テーブルといってもよい）は、天板とその支持部材（脚や袖キャビネット等）とを必須の構成要素としており、ユーザーの要望により、机上用サイドパネルや机上用バックパネル等のパネル類がオプションとして取り付けられている。
【０００３】
机上用サイドパネルの取り付け態様として従来は、天板の上面側端部に開けた上向き開口の穴に、机上用サイドパネルの下面に突設した挿入足を差し込んだり、又は、天板の上面側端部に机上用サイドパネルの前面と後面とに重なる上向きのブラケットをねじ止めし、このブラケットに対して机上用サイドパネルをねじ止めしたりするものが多かった（後者の場合は、机上用サイドパネルの前面及び後面にブラケットを覆うカバーが装着される）。
【０００４】
しかし、前記従来の構成では、天板に対して取り付け用の穴を開けたりブラケットをねじ止めしたりする必要があるため、机上用サイドパネルを取り外した後は穴類が露出してしまって、天板の使用に不都合な状態になると共に美観を損なうという問題があった。
【０００５】
これに対して特許文献１には、天板に穴類を開けることなく机上用サイドパネルを立設する構成が開示されている。この例では、机上用サイドパネルの下面前端部に、天板の前縁部にきっちりと被嵌される横向き開口コ字状の嵌合金具が下方からのねじにて締結されている一方、天板の上面後縁部に沿って立設された机上用バックパネルのサイドフレームに、複数の係合溝穴が上下に適宜間隔で穿設されている。そして、これら各係合溝穴に落とし込み係合する係合爪が、机上用サイドパネルの後面から後ろ向きに突出している。
【先行技術文献】
【特許文献】
【０００６】
【特許文献１】実公平６−４１４６１号公報
【発明の概要】
【発明が解決しようとする課題】
【０００７】
しかし、前記特許文献１の構成では、嵌合金具を天板の前縁部に被嵌させるために、机上用サイドパネルの下面後部は天板に対して拘束されていないため、当該机上用サイドパネルの後部側が天板に対して横ずれし易いという問題があった。
【０００８】
さらに、机上用バックパネルのサイドフレームにおける複数の上下係合溝穴に対して机上用サイドパネルの後面の係合爪が係合する構成であるから、上記サイドフレームが配置されていない任意の個所に机上用中間パネルを配置することができないという問題があった。
【０００９】
そこで、本願発明はかかる現状を改善することを技術的課題とするものである。
【課題を解決するための手段】
【００１０】
この技術的課題を解決するため、請求項１の発明は、天板の上面に載った状態に立設される中間パネルであって、同じく天板の後端縁部に立設されたバックパネルの前面側と、天板の前縁部とに横方向位置変更自在に装着された前記中間パネルには、その下端部に前記天板の上面に接触する摩擦手段を備えているというものである。
【００１１】
請求項２の発明は、請求項１に記載した机上用中間パネル装置において、前記摩擦手段は、摩擦板を下面に備えた取付け体が前記中間パネルの下端部の開口溝に着脱自在に嵌合されるものである。
【００１２】
請求項３に記載の発明は、請求項２に記載の机上用中間パネル装置において、前記取付け体及び前記摩擦板は前記天板の前縁側から前記バックパネルの前面方向に延びる長尺状である。
【００１３】
請求項４に記載の発明は、請求項１乃至３のいずれかに記載の机上用中間パネル装置において、前記中間パネルの後端上部は前記バックパネルにおける笠木に形成されて横に延びる溝部に対してバックパネルの前面に沿って移動自在な摺動ブロックを介して装着され、前記中間パネルの前端下部は前記天板の前縁部に嵌合する連結手段を介して固定されているものである。
【発明の効果】
【００１４】
請求項１の発明によれば、天板の後端縁部に立設されたバックパネルの前面側と、天板の前縁部とに横方向位置変更自在に装着された前記中間パネルには、その下端部に前記天板の上面に接触する摩擦手段を備えているため、摩擦手段と天板の上面との間に摩擦力が作用し、天板に載った状態に立設される中間パネルの下側は、天板の上面に対して不用意に横振れすることがない。
【００１５】
請求項２の発明によれば、摩擦手段は、摩擦板を下面に備えた取付け体が中間パネルの下端部の開口溝に着脱自在に嵌合されるものであるから、中間パネルに対する摩擦板の装着作業が至極簡単にできる。また、オプションとして、取付け体を準備すれば良く、さらに、中間パネルと同様に、下端に溝部を有するバックパネルを設計することができる。
【００１６】
請求項３の発明によれば、前記取付け体及び前記摩擦板は前記天板の前縁側から前記バックパネルの前面方向に延びる長尺状であるから、天板上面に対する横ずれの抵抗力を十分に発揮させることができる。
【００１７】
請求項４の発明によれば、中間パネルの後端上部は前記バックパネルにおける笠木に形成されて横に延びる溝部に対してバックパネルの前面に沿って移動自在な摺動ブロックを介して装着され、前記中間パネルの前端下部は前記天板の前縁部に嵌合する連結手段を介して固定されているから、バックパネルの前面及び天板上のうち任意の左右個所に中間パネルを立設することができるという効果を奏する。
【図面の簡単な説明】
【００１８】
【図１】本発明の中間パネルが適用される机の外観斜視図である。
【図２】中間パネルの側断面図である。
【図３】図２の III−III 線矢視断面図である。
【図４】中間パネルの下面図である。
【図５】図４のＶ−Ｖ線矢視要部拡大断面図である。
【図６】（Ａ）は天板の前縁部に嵌合するための連結手段の中間パネルへの装着作業説明図、（Ｂ）は摩擦板付き取付け体の中間パネルへの装着作業説明図である。
【図７】摩擦板付き取付け体の中間パネルへの装着状態を示す要部拡大断面図である。
【図８】（Ａ）はバックパネルの笠木に対する摺動ブロックの装着作業を示す図、（Ｂ）は図８（Ａ）の VIIIB−VIIIB 線で示す笠木の断面図である。
【図９】中間パネルの組み込み手順の最初の段階を示す斜視図である。
【図１０】中間パネルの組み込み手順の第２段階（中間パネルの天板への装着）を示す斜視図である。
【図１１】中間パネルの組み込み手順の第３段階である、中間パネルの後端上部とバックパネルの笠木に対する摺動ブロックの装着作業を示す斜視図である。
【図１２】中間パネルの前端下部と天板との装着部を示す側面図である。
【図１３】上端キャップ体の装着を示す斜視図である。
【発明を実施するための形態】
【００１９】
以下に、本願発明を具体化した実施形態を図面（図１〜図１３）に基づいて説明する。なお、本発明の説明において、前（前側、前端）とは、通常には机１において、椅子に着座する人（不図示）に近い側を言い、後（後側、後端、または背面）とはそれと対極側（着座者から遠い側）をいう。
【００２０】
机１は左右長手の天板２を左右一対の脚体４にて支持してなる。脚体４は中空板状に形成された基部の上端と下端とからアーム４ａ，４ｂが前向きに延びているいわゆるＬ脚となっており、従って、平面視では前後方向に細長い形状になっている。一対の脚体４の後端側は背面部材３にて連結されている。この背面部材３上に、天板２の上面より上方に立ち上がった机上用バックパネル１０が従来から公知の手段にて取り付けられている。
【００２１】
背面部材３の上面と天板２の上面とは略同じ高さになっており（もちろん異なる高さでも構わない）、天板２と背面部材３との間には、上下に開口した配線用空間（不図示）が形成されている。換言すると、天板２の後面を脚４の後面より手前側（使用者側）にずらすことにより、天板２の後方（奥側）に上下開口の配線用空間が開いている。詳細は省略するが、背面部材３には、配線用空間を覆う蓋カバー体７やコード類を収容するための配線用受け樋（不図示）を取り付けることが可能である。
【００２２】
［机上用バックパネル］
次に、図１、図８（Ａ）、図８（Ｂ）、図１０を参照しながら、机上用バックパネル（以下、バックパネル１０と略称する）の詳細について説明する。
【００２３】
バックパネル１０は、左右一対の縦長の側フレーム１１と、上端を構成する笠木１２（上フレーム）と、下端を構成する巾木１３（下フレーム）とで枠組みが構成されており、この枠組みの内側に、ハニカム材等の芯板１４と、その前後両面に重ねたインシュレータ層１５とが配置されてサンドイッチ構造になっている。
【００２４】
各インシュレータ層１５の外表面にはクロスなどの化粧板１９が張り付けられている。化粧板１９の外周部は各インシュレータ層１５の外周縁を巻き込んでいる。側フレーム１１、笠木１２、巾木１３はそれぞれアルミニウム等の軽金属の押し出し成形又はロールダイス成形されたものである。側フレーム１１は全長にわたり断面Ｔ字型の中空形状に形成され、笠木１２は全長にわたり断面Ｈ字型の中空形状に形成されている。特に笠木１２は、全体として前後方向に開口した断面Ｈ字型であり、各開口部には天板２の左右方向に延びる上下一対の蟻溝状の溝部１６が形成されている（図８（Ａ）、図８（Ｂ）参照）。
【００２５】
笠木１２の左右両端の上面には、平面視でＴ型の上端キャップ１７の一部が嵌まる装着用切欠き部１８が形成され、上端キャップ１７の他方の部位は側フレーム１１の上端面を上から覆う（図１、図１０参照）。なお、バックパネル１０の材料を後述する中間パネル２０の材料と同じにする（材料の共通化）と、部品設計、部品管理、コスト削減の面から好ましい。後述する中間パネル２０用の上端キャップ１７も同じ形状、材料とすれば、部品設計、部品管理、コスト削減の面から好ましい。
【００２６】
［机上用中間パネル］
次に、図１〜図１３を参照しながら、机上用中間パネル２０（以下、中間パネルと略称する）の詳細、及び中間パネル２０とバックパネル１０との連結構造について説明する。
中間パネル２０は、前後一対の縦長の側フレーム２１ａ、２１ｂと、上端を構成する笠木２２（上フレーム）と、下端を構成する巾木２３（下フレーム）とで骨組みが構成されており、この骨組みの内側に、ハニカム材等の芯板２４と、その左右両側に重ねたインシュレータ層２５とが配置されている。各インシュレータ層２５の外表面にはクロスなどの化粧板２６が張り付けられている。化粧板２６の外周部は各インシュレータ層２５の外周縁を巻き込んでいる。
【００２７】
図１、図２、図６、図９、図１０、図１３に示すように、中間パネル２０の後部下端に略矩形状の切欠き部２７を形成することにより、中間パネル２０を移動させたり、外すことなく、天板２の後端の蓋カバー７を着脱することができるから、配線空間からの配線を天板２の左右両側に導き易くしている。側フレーム２１ａ、２１ｂはアルミニウム等の軽金属の押し出し成形又はロールダイス成形等にて全長にわたり断面Ｔ字型の中空形状に形成された基本的に同一のものであり、表裏インシュレータ層２５，２５の間の側溝に嵌る嵌合部２８を備えている。嵌合部２８内には、上下に延びる３条の縦溝２９が形成されている。
【００２８】
図３に示すように、笠木２２は、合成樹脂や軽金属の押し出し成形にて全長にわたり同一の断面Ｈ字型の中空形状に形成されている。笠木２２は、全体として前後方向に開口した断面Ｈ字型であり、各開口部には前後方向に延びる上下一対の蟻溝状の溝部３０が形成されている。
【００２９】
図２、図１０、図１１、図１３等に示すように、笠木２２における前後端部の上面には、バックパネル１０と同様に、平面視でＴ型の上端キャップ１７の一部が嵌まる装着用切欠き部３１が形成されている。各装着用切欠き部３１に対応する底板部を貫通するねじ３２（本実施形態では２本）が前後の側フレーム２１ａ、２１ｂにおける２条の縦溝２９に上方からねじ込まれている。
【００３０】
笠木のための上端キャップ１７から下向きに突出する一対の足片１７ａ（図２、図９参照）は、側フレーム２１ａ、２１ｂの上端部のうち外向き開口状の蟻溝を挟んで両側の中空部分に嵌り込んでいる。
【００３１】
他方、巾木２３も合成樹脂や軽金属の押し出し成形にて全長にわたり同一断面の下向きコ字状に形成されている。巾木２３における上板部３４から突出する４つの上向き突条３３にて化粧板２６が貼着された表裏インシュレータ層２５，２５における下端の表裏両端面を挟み込み係合している（図３、図５、図７参照）。
【００３２】
巾木２３における下端部には、下向きに開口した開口溝３５が形成されている。この開口溝３５は巾木２３とほぼ同じ長さを有している。上板部３４から突出する２つの下向き突条３８の下面に当接する座板４０及び上板部３４を貫通するねじ４１が側フレーム２１ａ、２１ｂにおける２条の縦溝２９に下方からねじ込まれている。
【００３３】
中間パネル２０の後部下端の切欠き部２７における芯板２４、化粧板２６が貼着された表裏インシュレータ層２５，２５の端面を覆う端カバー板４２は断面Ｌ字状に形成されている。この端カバー板４２は後部の側フレーム２１ｂにおける縦溝２９にねじ４３にて締着する一方、端カバー板４２に突設したブラケット４５を介して巾木２３における上板部３４にねじ４４にて締着することで固定されている（図２参照）。
【００３４】
［摩擦手段］
巾木２３における下端部には、中間パネル２０の横滑り（横ずれ移動）を防止するための摩擦手段３９が着脱自在に装着される。摩擦手段３９の一例として、巾木２３における下向きの開口溝３５には、摩擦板３７を下面に備えた取付け体３６が着脱自在に装着される。摩擦板３７及び取付け体３６の長さは開口溝３５の全長に匹敵する長さを有している。
【００３５】
取付け体３６は断面上向きコ字状に形成された金属板または合成樹脂製板であり（図６（Ｂ）、図７参照）、取付け体３６の巾寸法Ｈは開口溝３５の巾寸法にほぼ等しくなるように形成されている。そして、開口溝３５の上方に設けられた一対の下向き突条３８の間隔を取付け体３６の巾寸法Ｈより若干（例えば、０．５ｍｍ程度）小さく設定しておけば、取付け体３６を直に開口溝３５の巾内に挿入できる。また、取付け体３６の上開口側の弾性変形により、当該取付け体３６の上開口側の端部が一対の下向き突条３８の内面に挟持されて脱落不能とすることができると共に、取付け体３６における左右両外側の上下２箇所が上記下向き突条３８と開口溝３５の下端縁部とにより拘束されるから、中間パネル２０が天板２上面に載った状態で横方の外力が作用したときに取付け体３６が撓むことも防止できる。さらに、摩擦手段３９としての摩擦板３７付き取付け体３６の着脱作業も至極簡単となる効果を奏する。摩擦板３７は摩擦係数の大きい材料であるゴム板、合成樹脂製板やコルク板などが採用できる。
【００３６】
摩擦手段３９の他の実施例としては、巾木２３に下面板を備え、この下面板の下面にゴム板などの摩擦板を貼着したものであっても良い。このように、摩擦手段３９を中間パネル２０の下端部に設けることにより、摩擦手段３９による天板２への摩擦力が働くので、中間パネル２０がその上端部のみをバックパネル１０に連結し、中間パネル２０の前端部のみを天板２に装着固定した状態でも、当該中間パネル２０が不用意に横方向にずれ動くことを確実に防止できるという効果を奏する。またそのための摩擦手段３９の構成が至極簡単である。取付け体３６を直に巾木２３の開口溝３５の巾内に挿入できる構成を採用すれば、オプションとして任意に適用できる。
【００３７】
図６（Ａ）、図６（Ｂ）、図９、図１０及び図１２に示すように、中間パネル２０の下面前端部には、連結手段の一例としての金属板製のクランプ体５０が取り付けられている。このクランプ体５０は、天板２の左右前縁部に被嵌される横向き開口略コ字状のものであり、側フレーム２１ａにおける縦長の係合溝５１（図２参照）に嵌まる縦片５４を有する側面視Ｌ型の下重合部５３とその縦片５４に水平に突設させた上取付け片５５とからなる。
【００３８】
上取付け片５５の取付け孔を介してねじ５６が側フレーム２１ａにおける縦溝２９または巾木２３における上板部３４に締着固定される。なお、下重合部５３に穿設された孔５７はねじ５６を回すドライバ工具（不図示）を挿入するためのものである。なお、摩擦手段３９はクランプ体５０の装着後に装着される。
【００３９】
摩擦板３７付き取付け体３６及びクランプ体５０を取付けた状態で、図１０に示すように、中間パネル２０を天板２の前側から奥に向かって移動させ、クランプ体５０と巾木２３の下面（正確には取付け体３６の摩擦板３７）とで天板２を挟むように挿入して装着すれば良い。天板２の傷付きを防止するため、ゴムのような軟質材からなるシール材が下重合部５３の上面に接着等にて固定されていて良い。
【００４０】
［バックパネルと中間パネルとの連結］
図８に示すように、バックパネル１０の笠木１２の前面における上下一対の蟻溝状の溝部１６に板状の摺動ブロック５８を横向きに挿入する（図８（Ａ）参照）。摺動ブロック５８には左右一対の雌ねじ部５９が形成されている。
【００４１】
他方、中間パネル２０の後端である側フレーム２１ｂの背面に上下長手の固定板６０がビス６１にて固定されている（図２、図４参照）。固定板６０の上端部は中間パネル２０の笠木２２の上面の高さ位置に対応し、その固定板６０の上端部には上記摺動ブロック５８の雌ねじ部５９と対応する位置に取付け孔６２が穿設されている。従って、 バックパネル１０に対する中間パネル２０の希望する固定個所にて、ビス６３を笠木２２の開口溝（図３の溝部３０等が形成された個所）側から差し入れ、取付け孔６２を介してビス６３を雌ねじ部５９に締着することで固定される（図１１参照）。従って、 雌ねじ部５９が形成された摺動ブロック５８と、取付け孔６２が穿設された固定板６０とが、本発明における連結手段である。
【００４２】
バックパネル１０に対する中間パネル２０の固定位置を変更するには、一旦ビス６３を取り外した後、中間パネル２０をバックパネル１０の前面に対して直交する方向に横ずらしし、その後、再度ビス６３にて締着すれば良い。ビス６３による締着個所は、装着用切欠き部３１に上端キャップ１７を嵌め入れることによって隠すことができる。
【００４３】
本願発明は前述の実施形態に限らず、様々な態様に具体化できる。例えば本願発明に係る中間パネルの前端部と天板との装着用のクランプ体を側フレーム２１ａの上端に臨む長手ネジを介して上下動させる構成であっても良い。その他、各部の構成は図示の実施形態に限定されるものではなく、本発明の趣旨を逸脱しない範囲で種々変更が可能である。
【符号の説明】
【００４４】
１机
２天板
４脚体
１０バックパネル
１１、２１ａ、２１ｂ側フレーム
１２、２２笠木
１３、２３巾木
１６、３０溝部
１７上端キャップ
１８、３１装着用切欠き部
１９、２６化粧板
２０中間パネル
１６、３０溝部
３５開口溝
３６取付け体
３７摩擦板
３９摩擦手段
５０クランプ体
５８摺動ブロック
６０固定板
６１クランプ体
６３ビス
【図１】
2013081529.tif 000003
【図２】
2013081529.tif 000004
【図３】
2013081529.tif 000005
【図４】
2013081529.tif 000006
【図５】
2013081529.tif 000007
【図６】
2013081529.tif 000008
【図７】
2013081529.tif 000009
【図８】
2013081529.tif 000010
【図９】
2013081529.tif 000011
【図１０】
2013081529.tif 000012
【図１１】
2013081529.tif 000013
【図１２】
2013081529.tif 000014
【図１３】
2013081529.tif 000015